(57)【要約】【課題】撮像装置本体が知り得た被写体の照明条件と、実際の撮像タイミングの被写体の照明条件が異なる場合でも適切なホワイトバランスを実現可能とする。【解決手段】被写界の輝度情報を検出するための測光センサ２４と、測光センサの検出結果に基づいて、撮像素子の露光量を設定する露光量部１７と、露光量設定部により設定された露光量で撮像素子を露光させたときの、撮像素子から出力される出力輝度信号レベルの期待値である期待値信号レベルを算出する期待値算出部１７と、露光量設定部により設定された露光量で撮像素子を露光させたときに、実際に撮像素子から出力される出力輝度信号レベルである実信号レベルと期待値信号レベルの大きさの違いに基づいて、ホワイトバランス制御値を設定する制御値設定部１７と、制御値設定部により設定されたホワイトバランス制御値を用いてホワイトバランス制御を行なうホワイトバランス制御部１８とを具備する。【選択図】      図１
2006019929.tif 000002
【特許請求の範囲】
【請求項１】
撮影光学系により結像された被写界像を光電変換する撮像素子と、
被写界の輝度情報に基づき、前記撮像素子の露光量を設定する露光量設定手段と、
該露光量設定手段により設定された露光量で前記撮像素子を露光させたときの、該撮像素子から出力される出力輝度信号レベルの期待値である期待値信号レベルを算出する期待値算出手段と、
前記露光量設定手段により設定された露光量で前記撮像素子を露光させたときに、実際に前記撮像素子から出力される出力輝度信号レベルである実信号レベルと前記期待値信号レベルの大きさの違いに基づいて、ホワイトバランス制御値を設定する制御値設定手段と、
該制御値設定手段により設定されたホワイトバランス制御値を用いてホワイトバランス制御を行なうホワイトバランス制御手段と、
を具備することを特徴とする撮像装置。
【請求項２】
前記制御値設定手段は、前記実信号レベルと前記期待値信号レベルの大きさの違いに基づいて、被写界の照明光の色温度を推定することを特徴とする請求項１に記載の撮像装置。
【請求項３】
前記制御値設定手段は、前記実信号レベルが前記期待値信号レベルよりも大きい場合に、その大きさの度合いによって未知の光源が被写体に照明されたものとして、被写界の照明光の色温度を推定することを特徴とする請求項２に記載の撮像装置。
【請求項４】
前記制御値設定手段は、前記実信号レベルが前記期待値信号レベルよりも所定量以上大きい場合に、被写界の照明状態がフラッシュ光が支配的な状態であると判断し、フラッシュ光の色温度に合わせたホワイトバランス制御値を設定することを特徴とする請求項３に記載の撮像装置。
【請求項５】
前記被写界の輝度情報を検出する測光手段には、前記撮影光学系の途中から分岐された光線が入射することを特徴とする請求項１に記載の撮像装置。
【請求項６】
前記期待値算出手段は、前記撮像素子の露光時における撮像素子の感度、撮影光学系のＦ値、及びシャッタースピードに基づいて前記期待値信号レベルを算出することを特徴とする請求項１に記載の撮像装置。
【請求項７】
撮影光学系により結像された被写界像を光電変換する撮像素子を有する撮像装置を制御する方法であって、
被写界の輝度情報に基づき、前記撮像素子の露光量を設定する露光量設定工程と、
該露光量設定工程において設定された露光量で前記撮像素子を露光させたときの、該撮像素子から出力される出力輝度信号レベルの期待値である期待値信号レベルを算出する期待値算出工程と、
前記露光量設定工程において設定された露光量で前記撮像素子を露光させたときに、実際に前記撮像素子から出力される出力輝度信号レベルである実信号レベルと前記期待値信号レベルの大きさの違いに基づいて、ホワイトバランス制御値を設定する制御値設定工程と、
該制御値設定工程において設定されたホワイトバランス制御値を用いてホワイトバランス制御を行なうホワイトバランス制御工程と、
を具備することを特徴とする撮像装置の制御方法。
【請求項８】
請求項７に記載の制御方法をコンピュータに実行させることを特徴とするプログラム。
【請求項９】
請求項８に記載のプログラムをコンピュータ読み取り可能に記憶したことを特徴とする記憶媒体。
【発明の詳細な説明】
【技術分野】
【０００１】
本発明は、静止画或いは動画を撮影可能なデジタルカメラ等の撮像装置におけるホワイトバランスを補償する技術に関するものである。
【背景技術】
【０００２】
デジタルカメラ等の撮像装置におけるホワイトバランスを適正に補正する装置として、カメラスタジオ用の外部フラッシュ装置が使用されたことを検出するために撮像面からの反射光を測定し、その結果に応じてフラッシュ装置が使用されたかどうかを判断し、その判断結果を加味してホワイトバランスを補正するアルゴリズムを用いた撮像装置が提案されている（例えば、特許文献１参照）。
【特許文献１】特開２０００−２５３４０９号公報
【発明の開示】
【発明が解決しようとする課題】
【０００３】
一眼レフレックスタイプのデジタルカメラの自動ホワイトバランス補正方式として、撮像素子から得られる色信号を基にホワイトバランス補正値を演算する方式が知られている。
【０００４】
この方式では、被写体輝度を測定する測光センサーから得られる撮影直前の被写体及びその周辺の明るさを補助情報として用いることがあり、例えば、被写体及びその周辺の明るさが或る程度以上暗い場合は室内、日陰、或いは夜の屋外での撮影の可能性が高いと仮定し、この様な状況で考えられる光源として色温度の低い白熱電球から色温度の高い日陰までの幅広い色温度範囲を想定している。
【０００５】
一眼レフレックスタイプのカメラにおける測光用センサーは、ペンタプリズムを用いたファインダー光学系の中に組み込まれていてピント板と呼ばれる拡散板によって拡散された光線の一部を受光するように構成されている場合が多く、撮影時にシャッターが開く際には、被写体像は撮像素子に入射し、上記測光センサーには入射しない様な構成になる場合が多い。
【０００６】
また、フラッシュを用いる撮影において、フラッシュ装置がデジタルカメラと所定のやりとりをし連携をとった上で発光するものであれば、デジタルカメラ側は撮影に際しフラッシュが発光したか否かを知ることが可能であり、このフラッシュ発光情報も上記自動ホワイトバランス補正方式のための補助情報として使うことがあった。
【０００７】
ところが、例えばカメラスタジオに設置されている大型のフラッシュ装置を使用する場合には、モデリングライトのみで照明されている被写体を前に、撮影者がレリーズボタンを押すとデジタルカメラ側からはシャッターが開いているタイミングを示す同調信号が発せられ、この同調信号に同調して大型フラッシュ装置が発光し、撮影が成立している。この様な撮影の場合、デジタルカメラ側は、上記同調信号を発することだけでは大型フラッシュ装置が発光したか否かを知ることが困難であった。そのため、上記自動ホワイトバランス補正方式の補助情報として得られるのは「被写体及びその周辺の明るさ＝暗い」「フラッシュ発光したか＝不明」と言うことになる。そのため、上述した様に、照明光として幅広い色温度範囲を想定せざるを得ず、被写体の色によっては正しくホワイトバランス調整することが出来ないことがあった。
【０００８】
また、上述した例以外にも、複数の撮影者が共通の被写体を撮影する際に、自分のデジタルカメラがフラッシュ非発光で撮影したタイミングに、偶然他者がフラッシュ発光させることもある。この場合も前述した大型フラッシュ装置の場合と同じ様な理由で正しくホワイトバランス調整することが出来ないことがあった。
【０００９】
従って、本発明は上述した課題に鑑みてなされたものであり、その目的は、撮像装置本体が知り得た被写体の照明条件と、実際の撮像タイミングの被写体の照明条件が異なる場合でも適切なホワイトバランスを実現可能とすることである。
【課題を解決するための手段】
【００１０】
上述した課題を解決し、目的を達成するために、本発明に係わる撮像装置は、撮影光学系により結像された被写界像を光電変換する撮像素子と、被写界の輝度情報に基づき、前記撮像素子の露光量を設定する露光量設定手段と、該露光量設定手段により設定された露光量で前記撮像素子を露光させたときの、該撮像素子から出力される出力輝度信号レベルの期待値である期待値信号レベルを算出する期待値算出手段と、前記露光量設定手段により設定された露光量で前記撮像素子を露光させたときに、実際に前記撮像素子から出力される出力輝度信号レベルである実信号レベルと前記期待値信号レベルの大きさの違いに基づいて、ホワイトバランス制御値を設定する制御値設定手段と、該制御値設定手段により設定されたホワイトバランス制御値を用いてホワイトバランス制御を行なうホワイトバランス制御手段と、を具備することを特徴とする。
【００１１】
また、この発明に係わる撮像装置において、前記制御値設定手段は、前記実信号レベルと前記期待値信号レベルの大きさの違いに基づいて、被写界の照明光の色温度を推定することを特徴とする。
【００１２】
また、この発明に係わる撮像装置において、前記制御値設定手段は、前記実信号レベルが前記期待値信号レベルよりも大きい場合に、その大きさの度合いによって未知の光源が被写体に照明されたものとして、被写界の照明光の色温度を推定することを特徴とする。
【００１３】
また、この発明に係わる撮像装置において、前記制御値設定手段は、前記実信号レベルが前記期待値信号レベルよりも所定量以上大きい場合に、被写界の照明状態がフラッシュ光が支配的な状態であると判断し、フラッシュ光の色温度に合わせたホワイトバランス制御値を設定することを特徴とする。
【００１４】
また、この発明に係わる撮像装置において、前記被写界の輝度情報を検出する測光手段には、前記撮影光学系の途中から分岐された光線が入射することを特徴とする。
【００１５】
また、この発明に係わる撮像装置において、前記期待値算出手段は、前記撮像素子の露光時における撮像素子の感度、撮影光学系のＦ値、及びシャッタースピードに基づいて前記期待値信号レベルを算出することを特徴とする。
【００１６】
また、本発明に係わる撮像装置の制御方法は、撮影光学系により結像された被写界像を光電変換する撮像素子を有する撮像装置を制御する方法であって、被写界の輝度情報に基づき、前記撮像素子の露光量を設定する露光量設定工程と、該露光量設定工程において設定された露光量で前記撮像素子を露光させたときの、該撮像素子から出力される出力輝度信号レベルの期待値である期待値信号レベルを算出する期待値算出工程と、前記露光量設定工程において設定された露光量で前記撮像素子を露光させたときに、実際に前記撮像素子から出力される出力輝度信号レベルである実信号レベルと前記期待値信号レベルの大きさの違いに基づいて、ホワイトバランス制御値を設定する制御値設定工程と、該制御値設定工程において設定されたホワイトバランス制御値を用いてホワイトバランス制御を行なうホワイトバランス制御工程と、を具備することを特徴とする。
【００１７】
また、本発明に係わるプログラムは、上記の制御方法をコンピュータに実行させることを特徴とする。
【００１８】
また、本発明に係わる記憶媒体は、上記のプログラムをコンピュータ読み取り可能に記憶したことを特徴とする。
【発明の効果】
【００１９】
本発明によれば、撮像装置本体が知り得た被写体の照明条件と、実際の撮像タイミングの被写体の照明条件が異なる場合でも適切なホワイトバランスが実現可能となる。
【発明を実施するための最良の形態】
【００２０】
以下、本発明の好適な実施形態について、図面を参照して詳細に説明する。
【００２１】
（第１の実施形態）
図１は、本発明を複数種類のレンズを交換して装着できる一眼レフレックスタイプのカメラに適用した実施形態の構成を示す図である。
【００２２】
図１において、１０はカメラ本体、３０はカメラ本体１０に着脱可能な交換レンズである。カメラ本体１０と交換レンズ３０は不図示の接点により電気的に接続される。交換レンズ３０には、少なくとも絞り３１が含まれる。
【００２３】
カメラ本体１０には、ミラー１１、シャッター１２、ＣＣＤなどからなる撮像素子１３が設けられ、撮影時には交換レンズ３０を通過した光が撮像素子１３に達するようにミラー１１が上部に跳ね上げられるように構成されている。
【００２４】
更に、カメラ本体１０には拡散性を有するピント板２１、ペンタプリズム２２、使用者が被写体を観察する際に用いる接眼レンズ２３、被写体の輝度に関する情報を集める測光センサー２４、測光センサー２４の出力信号を受け取るマイクロコンピュータ１７、自動露出、マニュアル露出などの露出モードを切り替える露出操作スイッチ２６が含まれている。なお、マイクロコンピュータ１７は、測光センサー２４の出力信号を受け取るだけでなく、カメラ本体１０全体の動作の制御を行なう。
【００２５】
測光センサー２４は例えばシリコンフォトダイオード等の光電変換素子からなり、図２に示すように格子状に複数の領域に分割された受光センサー部を有した構成になっており、撮像画面の略全域をカバーしている。
【００２６】
図２に示したように、本実施形態では受光センサー部の７列５行からなる３５分割された各受光部をそれぞれＰＤ１１〜１７、ＰＤ２１〜２７、ＰＤ３１〜３７、ＰＤ４１〜４７、ＰＤ５１〜５７と呼ぶこととする。測光センサー２４は、信号増幅部や信号処理用の周辺回路などが受光センサー部と同一チップ上に形成された集積回路として構成されている。
【００２７】
ピント板２１、ペンタプリズム２２、接眼レンズ２３によってファインダー光学系が構成される。測光センサー２４にはミラー１１によって反射されピント板２１によって拡散された光線のうち、接眼レンズ２３に到達する光線とは異なる光線の一部が入射する。測光センサー２４に入射する光線は交換レンズ３０の明るさ（Ｆナンバー）や射出瞳の位置、ピント板２１の拡散特性による影響を受けるため、測光センサー２４の出力信号はこれらの影響に依存する誤差が存在する。
【００２８】
更に、カメラ本体１０には、撮像素子１３からのアナログ信号をデジタル信号に変換するＡ／Ｄ変換器１４、Ａ／Ｄ変換器１４からのデジタル信号を書き込み・読み出しするためのメモリー１５、メモリー１５から読み出された信号に利得を掛けホワイトバランス（ＷＢ）補正をするＷＢ制御回路１８、ＷＢ制御回路１８からの信号に所定の処理をして画像信号を形成する信号処理回路１９、信号処理回路１９からの画像信号を記録するための記録媒体２０、Ａ／Ｄ変換器１４からのデジタル信号が入力される輝度検出回路１６及びホワイトバランス制御をするための色信号を検出するＷＢ検出回路２５が含まれる。
【００２９】
撮像素子１３は、図３に示すように赤（Ｒ）、緑（Ｇ）、青（Ｂ）のカラーフィルタが市松模様状に配されており、露光された各画素では光電変換がなされ、所定のタイミングで順次読み出される。読み出された信号は、Ａ／Ｄ変換器１４でデジタル信号に変換される。このデジタル信号はメモリー１５に書き込まれるとともに輝度検出回路１６に送られる。輝度検出回路１６では図４に示すように画像信号を７列５行からなる３５分割された各領域に分割し、各領域の輝度信号を検出する。ここで、各部分をそれぞれＥ１１〜１７、Ｅ２１〜２７、Ｅ３１〜３７、Ｅ４１〜４７、Ｅ５１〜５７と呼ぶこととする。また、各領域（Ｅ１１〜Ｅ５７）と、測光センサー２４の各受光部（ＰＤ１１〜ＰＤ３７）とは、それぞれ被写界に対して略同一の部分の光を受光するものとする。
【００３０】
輝度信号（Ｙ）の検出例としては、各領域内の各色画素をすべて加えたものである式（１）に示す例などがあげられる。
【００３１】
Ｙ＝Ｒ＋２Ｇ＋Ｂ        …（１）
輝度検出回路１６で検出された輝度信号はマイクロコンピュータ１７に送られる。
【００３２】
また、Ａ／Ｄ変換器１４で変換されたデジタル信号は、メモリー１５に書き込まれるとともに輝度検出回路１６に送られる一方ＷＢ検出回路２５に送られる。ＷＢ検出回路２５では、得られたデジタル信号を然るべく処理しマイクロコンピュータ１７に送る。
【００３３】
次に、図５を用いてマイクロコンピュータ１７によって指示される本実施形態のホワイトバランス制御にかかわる具体的な撮像シーケンスについて説明する。
【００３４】
不図示の電源スイッチがオンされカメラ本体１０及び交換レンズ３０が動作可能となり、不図示のレリーズボタンの第１ストロークがオンされると（レリーズボタンの半押し状態）、図６のステップＳ１０１以下が実行される。
【００３５】
ステップＳ１０１では、測光センサー２４より３５分割された各受光部ＰＤ１１〜５７の信号を読み出し画面各部の輝度情報を得る。
【００３６】
ステップＳ１０２では、カメラ本体１０とレンズ３０の間に配置された不図示の接点を介して、必要なレンズ情報等を交換レンズ３０から取得して、入力された画面各部の輝度補正を行い、分割領域の重み付けをして画面全体の輝度を算出する。また、上記重み付けをした分割領域の輝度情報とそれ以外の画面周辺部分の分割領域の輝度情報とを比較することにより逆光状態かどうかの判別を行い、逆光状態であると判定された場合には算出された画面全体の輝度を所定量だけ補正する。画面全体の輝度が所定値よりも低い条件の場合には不図示のフラッシュ装置に発光を行わせるよう設定する。この様にして算出された画面全体の輝度情報（第１の輝度情報）、及び、撮像素子１３の感度とに基づいて、撮影に最適な絞り値及びシャッタースピード等の露出量補償値を仮決定する。これと同時に、仮決定された露出補償値及びフラッシュ装置の発光の有無などの条件により実際の撮影において撮像素子１３が出力することが出来るであろう信号レベル期待値が予測（算出）される。
【００３７】
また、ステップＳ１０２では、もし、露出モードが絞り値及びシャッタースピードを撮影者が任意に設定できるマニュアルモード（露出操作スイッチ２６により設定される）である場合には、撮影者が選択している絞り値及びシャッタースピードを露出量補償値として仮決定する。この場合においても、仮決定された露出補償値及びフラッシュ装置の発光の有無などの条件により実際の撮影において撮像素子１３が出力することが出来るであろう信号レベル期待値が予測（算出）される。
【００３８】
ステップＳ１０３では、不図示のレリーズボタンの第２ストロークスイッチがオンされた（レリーズボタンの全押し状態）かどうかを調べる。オンされていなければステップＳ１０１へ戻り、オンされていればステップＳ１０４へ進む。
【００３９】
ステップＳ１０４では、ミラー１１を跳ね上げる。
【００４０】
ステップＳ１０５では、ステップＳ１０２で演算された絞り値情報を交換レンズ３０に対して出力する。交換レンズ３０では、受け取った絞り値情報に基づいて絞り３１を駆動し所定の絞り値に絞り込む。
【００４１】
ステップＳ１０６では、撮像素子１３の露光準備を完了し、電荷の蓄積を開始する。
【００４２】
ステップＳ１０７では、シャッター１２を開放状態とする。これにより、撮像素子１３に交換レンズ３０を通過した光線が入射し撮像が開始される。
【００４３】
ステップＳ１０８では、ステップＳ１０２で演算されたシャッタースピードに対応する時間の経過後、シャッター１２を遮光状態とする。これにより、撮像素子１３への光線の入射が終了し、実質的な電荷蓄積が終了する。
【００４４】
ステップＳ１０９では、絞り３１を開放状態にし、ミラー１１を跳ね上げ前の位置に戻す
ステップＳ１１０では、撮像素子１３から信号を読み出す。読み出された信号は、前述したようにＡ／Ｄ変換器１４を通ったあとメモリー１５に書き込まれるとともに輝度検出回路１６及びＷＢ検出回路２５に送られる。
【００４５】
ステップＳ１１１では、輝度検出回路１６で検出された各領域（Ｅ１１〜Ｅ５７）の輝度信号及びＷＢ検出回路２６で検出された色信号をマイクロコンピュータ１７が読み込む。
【００４６】
ステップＳ１１２では、撮影後に撮像素子１３から実際に得られた信号の、各領域（Ｅ１１〜Ｅ５７）の輝度信号に対して、ステップＳ１０２と同様の分割領域の重み付けをした値から画面全体の輝度信号レベルを算出する。
【００４７】
ステップＳ１１３では、ステップＳ１１２で算出した輝度信号レベルが、ステップＳ１０２で推測（算出）された信号レベル期待値に予め決められた閾値を加えたものより大きいかどうかを比較する。比較した結果が「大きい」であればステップＳ１１４へ、そうでなければステップＳ１１５へ進む。
【００４８】
ステップＳ１１４では、想定外のフラッシュが発光されたと仮定しステップＳ１１６へ進む。
【００４９】
ステップＳ１１５では、想定外のフラッシュは発光されなかったと仮定しステップＳ１１６へ進む。
【００５０】
ステップＳ１１６では、ステップＳ１１１でＷＢ検出回路２５から読み込んだ信号及びステップＳ１１４或いはテップＳ１１５で仮定された想定外のフラッシュが発光されたか否かの情報を基に、好適なホワイトバランス補正をするためにＷＢ制御回路１８の制御値を決定する。例えば、ステップＳ１１３で予め設定された閾値を、信号レベル期待値の３倍程度に設定した場合において、想定外のフラッシュが発光されたか否かの情報が「発光された」であれば、被写体に照射された照明光中のフラッシュ光の割合は少なくとも全体の７５％以上と言うことになる。この場合、照明光の色温度はフラッシュ光の色温度が支配的になるため、最終的に照明光の色温度を推定する場合にフラッシュの色温度近辺のみの範囲を考慮すれば良い。
【００５１】
なお、ステップＳ１１３で想定外のフラッシュが発光されたか否かの情報が「発光されなかった」であれば、通常のホワイトバランス補正と同様に、色温度の低い白熱電球から色温度の高い日陰までの幅広い色温度範囲を想定してホワイトバランス制御値を決定することとなる。
【００５２】
ステップＳ１１７では、メモリー１５から順次信号を読み出し、ステップＳ１１６で決定された制御値をＷＢ制御回路１８に入力する。その後、信号処理回路１９で所定の処理を行い、記録媒体２０に記録し、ステップＳ１１８で一連のシーケンスか終了する。
【００５３】
（第２の実施形態）
次に、図７を用いてマイクロコンピュータ１７によって指示される第２の実施形態のホワイトバランス制御にかかわる具体的な撮像シーケンスについて説明する。
【００５４】
ステップＳ２０１からステップＳ２１２までは、図５のステップＳ１０１からステップＳ１１２と同じなので説明を省略する。
【００５５】
ステップＳ２１３では、撮像素子１３から得られる実際の信号レベルと前述した信号レベル期待値との比率を求めステップＳ２１４に進む。
【００５６】
ステップＳ２１４では、少なくともステップＳ２１３で求めた比率を用いて、照明光源の色温度範囲を推定する。例えば、実際の信号レベルが信号レベル期待値の１０倍であった場合、被写体に照射された照明光の９０％が想定外の照明分であったことが判る。この様なケースでは、想定外の照明光として確率が高いのがフラッシュ装置の光だと考えても良いので、被写体に照射された照明光の殆どはフラッシュ光であると推定できる。市販されているフラッシュ装置の発光色温度の範囲が約５０００Ｋ（ケルビン）から約６５００Ｋの間だとすると、被写体に照射された照明光の色温度は約５０００Ｋから約６５００Ｋの範囲をやや広げた範囲に収まるものと推定できる。
【００５７】
ステップＳ２１５では、少なくともステップＳ２１４で推定された色温度範囲及びＷＢ検出回路２５からの信号を基に最終的な色温度の推定を行い、ホワイトバランス制御値を決定する。
【００５８】
ステップＳ２１６では、メモリー１５から順次信号を読み出し、ステップＳ２１５で決定された制御値をＷＢ制御回路１８に入力する。その後、信号処理回路１９で所定の処理を行い、記録媒体２０に記録し、ステップＳ２１７で一連のシーケンスを終了する。
【００５９】
以上、第１及び第２の実施形態について説明したが、撮影前に知り得た信号レベル期待値と撮影後に知った実際の信号レベルの差異の比較手法や、色温度範囲推定の手法は、上記の実施形態の手法に限定されるものではない。
【００６０】
すなわち、本発明の主旨は、「撮影前に知り得た信号レベル期待値と撮影後に知った実際の信号レベルの差異を、照明光の色温度の推定に用いること」、「実際の信号レベルが信号レベル期待値よりも有意に大きい場合、想定外の光源照射があったと仮定し照明光の色温度推定を行うこと」であり、その主旨を逸脱しない範囲であれば、撮影前に知り得た信号レベル期待値と撮影後に知った実際の信号レベルの差異の比較手法や、色温度範囲推定の手法は、種々変更可能である。
【００６１】
また、利得制御回路１８の利得の決定方法については、比較結果が或る値以内のずれ量の場合には補正をしないなど、いくつもの方法が考えられるが、いずれの方法を用いてもよい。
【００６２】
また、上記の実施の形態では、測光センサ２４の出力によって、実際に撮影する時の撮像素子１３の露光量を設定しているが、測光センサ２４を用いずに撮像素子１３の出力を用いるような方式であってもよい。
【００６３】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００６４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００６５】
本発明を上記記憶媒体に適用する場合、その記憶媒体には、先に説明した手順に対応するプログラムコードが格納されることになる。
【図面の簡単な説明】
【００６６】
【図１】本発明を複数種類のレンズを交換して装着できる一眼レフレックスタイプのカメラに適用した実施形態の構成を示す図である。
【図２】本発明の実施形態における測光センサーの測光範囲を説明するための図である。
【図３】本発明の実施形態における撮像素子の画素配置を示す図である。
【図４】本発明の実施形態における撮像素子での測光範囲を説明するための図である。
【図５】本発明の第１の実施形態における制御の流れを説明するためのフローチャートである。
【図６】本発明の第２の実施形態における制御の流れを説明するためのフローチャートである。
【符号の説明】
【００６７】
１０  カメラ本体
１１  ミラー
１２  シャッター
１３  撮像素子
１４  Ａ／Ｄ変換器
１５  メモリー
１６  輝度検出回路
１７  マイクロコンピュータ
１８  利得制御回路
１９  信号処理回路
２０  記録媒体
２１  ピント板
２２  ペンタプリズム
２３  接眼レンズ
２４  測光センサー
２５  ＷＢ検出回路
２６  露出操作スイッチ
３０  交換レンズ
３１  絞り
【図１】
2006019929.tif 000003
【図２】
2006019929.tif 000004
【図３】
2006019929.tif 000005
【図４】
2006019929.tif 000006
【図５】
2006019929.tif 000007
【図６】
2006019929.tif 000008